(57)【要約】【課題】高周波アシスト磁気記録において、より高速で安定な記録が行える磁気記録ヘッド、およびこれを備えたディスク装置を提供する。【解決手段】実施形態によれば、磁気記録ヘッドは、記録媒体１２の記録層２２に対し記録磁界を印加する主磁極６６と、記録媒体と対向するディスク対向面の近傍で主磁極に隣接して設けられたスピントルク発振子７４と、主磁極を励磁する記録コイル７１と、記録コイルに記録電流を供給する記録電流制御回路７０と、スピントルク発振子に一定電流を供給する定電流通電回路８４と、スピントルク発振子に前記一定電流と極性の異なる反転電流を通電する反転電流通電回路８６と、を備えている。【選択図】図３
2014086122.tif 000002
【特許請求の範囲】
【請求項１】
記録媒体の記録層に対し記録磁界を印加する主磁極と、
前記記録媒体と対向するディスク対向面の近傍で前記主磁極に隣接して設けられたスピントルク発振子と、
前記主磁極を励磁する記録コイルと、
前記記録コイルに記録電流を供給する記録電流制御回路と、
前記スピントルク発振子に一定電流を供給する定電流通電回路と、
前記スピントルク発振子に前記一定電流と極性の異なる反転電流を通電する反転電流通電回路と、
を備える磁気記録ヘッド。
【請求項２】
前記反転電流通電回路は、前記記録電流の極性反転に同期して前記スピントルク発振子に反転電流を通電するように構成されている請求項１に記載の磁気記録ヘッド。
【請求項３】
前記反転電流通電回路は、前記記録電流の絶対値が減少し始めてからゼロになるまでの間に、前記反転電流をスピントルク発振子に通電するように構成されている請求項１又は２に記載の磁気記録ヘッド。
【請求項４】
前記主磁極にギャップを置いて対向配置されたシールド磁極を備え、
前記スピントルク発振子は、前記ギャップ内で前記主磁極とシールド磁極との間に設けられている請求項１ないし３のいずれか１項に記載の磁気記録ヘッド。
【請求項５】
前記スピントルク発振子は、スピン注入層と発振層とを有し、前記スピン注入層は、記録時に前記主磁極とシールド磁極との間に発生するギャップ磁界よりも大きな保磁力を有する磁性材料で形成されている請求項４に記載の磁気記録ヘッド。
【請求項６】
記録層を有するディスク状の記録媒体と、
前記記録媒体を支持および回転する駆動部と、
前記記録媒体に対し情報処理を行う請求項１ないし５のいずれか１項に記載の磁気記録ヘッドと、
を備えるディスク装置。
【発明の詳細な説明】
【技術分野】
【０００１】
この発明の実施形態は、ディスク装置に用いる磁気記録ヘッド、およびこれを備えたディスク装置に関する。
【背景技術】
【０００２】
ディスク装置として、例えば、磁気ディスク装置は、ケース内に配設された磁気ディスクと、磁気ディスクを支持および回転するスピンドルモータと、磁気ディスクに対して情報のリード／ライトを行う磁気ヘッドと、磁気ヘッドを磁気ディスクに対して移動自在に支持したキャリッジアッセンブリと、を備えている。磁気ヘッドのヘッド部は、ライト用の記録ヘッドとリード用の再生ヘッドとを含んでいる。
【０００３】
近年、磁気ディスク装置の高記録密度化、大容量化あるいは小型化を図るため、垂直磁気記録用の磁気ヘッドが提案されている。このような磁気ヘッドにおいて、記録ヘッドは、垂直方向磁界を発生させる主磁極と、その主磁極のトレーリング側にライトギャップを挟んで配置されたトレーリングシールドと、主磁極に磁束を流すためのコイルとを有している。
【０００４】
記録密度の向上を図る目的で、主磁極とトレーリングシールドとの間に高周波発振子としてスピントルク発振子を設け、このスピントルク発振子から磁気記録層に高周波磁界を印加する高周波磁界アシスト記録方式の磁気ヘッドが提案されている。高周波発振子に駆動電流を通電し、発振層の磁化を十分な振幅で発振させることで、大きな高周波磁界を発生させ、安定した記録再生特性を実現することが可能となる。
【先行技術文献】
【特許文献】
【０００５】
【特許文献１】特許第４３５８２７９号公報
【特許文献２】特開２０１２−１０４１６８号公報
【発明の概要】
【発明が解決しようとする課題】
【０００６】
スピントルク発振子は、主磁極から印加される磁界よりも小さい保磁力を有するスピン注入層を用いている。これにより、記録磁界の方向とスピン注入層の磁化方向が常に同じ方向となり、安定した発振が得られる。しかし、このようなスピントルク発振子では、主磁極から印加される磁界よりも大きな保磁力を有するスピン注入層を用いることができないという問題がある。
【０００７】
また、スピン注入層の磁化反転は、記録ヘッドのギャップ磁界によって行われている。そのため、スピン注入層の磁化反転速度を早くしたとしても、ギャップ磁界の反転からは必ず遅れてスピン注入層の磁化反転が起こることになり、その結果、磁化反転の速度応答性を上げることが困難となる。
【０００８】
この発明は以上の点に鑑みなされたもので、その課題は、高周波アシスト磁気記録において、より高速で安定な記録が行える磁気記録ヘッドおよびこれを備えたディスク装置を提供することにある。
【課題を解決するための手段】
【０００９】
実施形態によれば、磁気記録ヘッドは、記録媒体の記録層に対し記録磁界を印加する主磁極と、前記記録媒体と対向するディスク対向面の近傍で前記主磁極に隣接して設けられたスピントルク発振子と、前記主磁極を励磁する記録コイルと、前記記録コイルに記録電流を供給する記録電流制御回路と、前記スピントルク発振子に一定電流を供給する定電流通電回路と、前記スピントルク発振子に前記一定電流と極性の異なる反転電流を通電する反転電流通電回路と、を備えている。
【図面の簡単な説明】
【００１０】
【図１】図１は、第１の実施形態に係る磁気ディスク装置（ＨＤＤ）を示す斜視図。
【図２】図２は、前記ＨＤＤにおける磁気ヘッド、サスペンション、記録媒体を示す側面図。
【図３】図３は、前記磁気ヘッドのヘッド部および磁気ディスクの一部を拡大して概略的に示す断面図。
【図４】図４は、磁気記録ヘッドのスピントルク発振子に通電する通電電流を模式的に模式に示す図。
【図５】図５は、第２の実施形態に係る磁気ディスク装置において、磁気記録ヘッドに通電する記録電流およびスピントルク発振子の駆動電流を模式的に示す図。
【図６】図６は、前記スピントルク発振子のスピン注入層および発振層における磁化方向の変化を模式的に示す図。
【図７】図７は、前記記録電流、スピントルク発振子の駆動電流、および、スピン注入層、発振層における磁化方向を比較して示す図。
【図８】図８は、比較例に係る記録ヘッドの記録電流、スピントルク発振子駆動電流、および、スピン注入層、発振層における磁化方向を比較して示す図。
【発明を実施するための形態】
【００１１】
以下、図面を参照しながら、種々の実施形態について説明する。  
（第１の実施形態）  
図１は、ディスク装置として、第１の実施形態に係るハードディスクドライブ（ＨＤＤ）のトップカバーを取り外して内部構造を示し、図２は、浮上状態の磁気ヘッドを示している。図１に示すように、ＨＤＤは筐体１０を備えている。この筐体１０は、上面の開口した矩形箱状のベース１１と、図示しない矩形板状のトップカバーとを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。
【００１２】
ベース１１上には、記録媒体としての磁気ディスク１２および駆動部が設けられている。駆動部は、磁気ディスク１２を支持および回転させるスピンドルモータ１３、磁気ディスクに対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータを回動および位置決めするボイスコイルモータ（以下ＶＣＭと称する）１６を備えている。また、ベース１１上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、ヘッドアクチュエータ１４を退避位置に保持するイナーシャラッチ２０、およびプリアンプ、ヘッドＩＣ等の電子部品が実装された基板ユニット１７が設けられている。
【００１３】
ベース１１の外面には、制御回路基板２５がねじ止めされ、ベース１１の底壁と対向して位置している。制御回路基板２５は、基板ユニット１７を介してスピンドルモータ１３、ＶＣＭ１６、および磁気ヘッド３３の動作を制御する。
【００１４】
図１および図２に示すように、磁気ディスク１２は、垂直磁気記録媒体として構成されている。磁気ディスク１２は、例えば、直径約２．５インチの円板状に形成され非磁性体からなる基板１９を有している。基板１９の各表面には、下地層としての軟磁性層２３と、その上層部に、ディスク面に対して垂直方向に磁気異方性を有する垂直磁気記録層２２とが順次積層され、さらにその上に保護膜２４が形成されている。
【００１５】
図１に示すように、磁気ディスク１２は、スピンドルモータ１３のハブに互いに同軸的に嵌合されているとともにハブの上端にねじ止めされたクランプばね１５によりクランプされ、ハブに固定されている。磁気ディスク１２は、駆動モータとしてのスピンドルモータ１３により所定の速度で矢印Ｂ方向に回転される。
【００１６】
図１および図２に示すように、ヘッドアクチュエータ１４は、ベース１１の底壁上に固定された軸受部２１と、軸受部から延出した複数のアーム２７と、を備えている。これらのアーム２７は、磁気ディスク１２の表面と平行に、かつ、互いに所定の間隔を置いて位置しているとともに、軸受部２１から同一の方向へ延出している。ヘッドアクチュエータ１４は、弾性変形可能な細長い板状のサスペンション３０を備えている。サスペンション３０は、板ばねにより構成され、その基端がスポット溶接あるいは接着によりアーム２７の先端に固定され、アームから延出している。各サスペンション３０の延出端にジンバルばね４１を介して磁気ヘッド３３が支持されている。サスペンション３０、ジンバルばね４１、および磁気ヘッド３３により、ヘッドジンバルアッセンブリを構成している。なお、ヘッドアクチュエータ１４は、軸受部２１のスリーブと、複数のアームとを一体に形成したいわゆるＥブロックを備えた構成としてもよい。
【００１７】
図２に示すように、各磁気ヘッド３３は、ほぼ直方体形状のスライダ４２とこのスライダの流出端（トレーリング端）に設けられた記録再生用のヘッド部４４とを有している。各磁気ヘッド３３は、サスペンション３０の弾性により、磁気ディスク１２の表面に向かうヘッド荷重Ｌが印加されている。２本のアーム２７は所定の間隔を置いて互いに平行に位置し、これらのアームに取り付けられたサスペンション３０および磁気ヘッド３３は、磁気ディスク１２を間に挟んで互いに向かい合っている。
【００１８】
各磁気ヘッド３３は、サスペンション３０およびアーム２７上に固定された中継フレキシブルプリント回路基板（以下、中継ＦＰＣと称する）３５を介して後述するメインＦＰＣ３８に電気的に接続されている。
【００１９】
図１に示すように、基板ユニット１７は、フレキシブルプリント回路基板により形成されたＦＰＣ本体３６と、このＦＰＣ本体から延出したメインＦＰＣ３８とを有している。ＦＰＣ本体３６は、ベース１１の底面上に固定されている。ＦＰＣ本体３６上には、プリアンプ３７、ヘッドＩＣを含む電子部品が実装されている。メインＦＰＣ３８の延出端は、ヘッドアクチュエータ１４に接続され、各中継ＦＰＣ３５を介して磁気ヘッド３３に接続されている。
【００２０】
ＶＣＭ１６は、軸受部２１からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよびヨークに固定された磁石とともにＶＣＭ１６を構成している。
【００２１】
磁気ディスク１２が回転した状態でＶＣＭ１６のボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。
【００２２】
次に、磁気ヘッド３３の構成について詳細に説明する。図３は、磁気ヘッド３３のヘッド部４４および磁気ディスクの一部を拡大して示す断面図である。
【００２３】
図２および図３に示すように、磁気ヘッド３３は浮上型のヘッドとして構成され、ほぼ直方体状に形成されたスライダ４２と、スライダの流出端（トレーリング）側の端部に形成されたヘッド部４４とを有している。スライダ４２は、例えば、アルミナとチタンカーバイドの焼結体（アルチック）で形成され、ヘッド部４４は複数層の薄膜により形成されている。
【００２４】
スライダ４２は、磁気ディスク１２の表面に対向する矩形状のディスク対向面（空気支持面（ＡＢＳ））４３を有している。スライダ４２は、磁気ディスク１２の回転によってディスク表面とディスク対向面４３との間に生じる空気流Ｃにより、磁気ディスク表面から所定量浮上した状態に維持される。空気流Ｃの方向は、磁気ディスク１２の回転方向Ｂと一致している。スライダ４２は、磁気ディスク１２表面に対し、ディスク対向面４３の長手方向が空気流Ｃの方向とほぼ一致するように配置されている。
【００２５】
スライダ４２は、空気流Ｃの流入側に位置するリーディング端４２ａおよび空気流Ｃの流出側に位置するトレーリング端４２ｂを有している。スライダ４２のディスク対向面４３には、図示しないリーディングステップ、トレーリングステップ、サイドステップ、負圧キャビティ等が形成されている。
【００２６】
図３に示すように、ヘッド部４４は、スライダ４２のトレーリング端４２ｂに薄膜プロセスで形成された再生ヘッド５４および磁気記録ヘッド５６を有し、分離型磁気ヘッドとして形成されている。
【００２７】
再生ヘッド５４は、磁気抵抗効果を示す磁性膜５０と、この磁性膜のトレーリング側およびリーディング側に磁性膜５０を挟むように配置されたシールド膜５２ａ、５２ｂと、で構成されている。これら磁性膜５０、シールド膜５２ａ、５２ｂの下端は、スライダ４２のディスク対向面４３に露出している。
【００２８】
磁気記録ヘッド５６は、再生ヘッド５４に対して、スライダ４２のトレーリング端４２ｂ側に設けられている。図３に示すように、記録ヘッド５６は、磁気ディスク１２の表面に対して垂直方向の記録磁界を発生させる高飽和磁化材料からなる主磁極（記録磁極）６６と、主磁極６６のトレーリング側にギャップ（ライトギャップ）を置いて対向したトレーリングシールド（シールド磁極）６８と、磁気ディスク１２に信号を書き込む際、主磁極６０に磁束を流すために主磁極６６およびトレーリングシールド６８を含む磁気回路（磁気コア）に巻きつくように配置された記録コイル７１と、主磁極６６のディスク対向面４３側の先端部６６ａとトレーリングシールド６８との間で、かつ、ディスク対向面４３に面する部分に配置された高周波発振子、例えば、スピントルク発振子７４と、を有している。
【００２９】
主磁極６６は、磁気ディスク１２の表面に対してほぼ垂直に延びている。主磁極６６の磁気ディスク１２側の先端部６６ａは、ディスク面に向かって先細に絞り込まれている。主磁極６６の先端面は、スライダ４２のディスク対向面４３に露出している。本実施形態において、主磁極６６の先端部６６ａの幅は、磁気ディスク１２におけるトラックの幅にほぼ対応している。
【００３０】
トレーリングシールド６８は、ほぼＵ字形状に形成され、その先端部６８ａは、細長い矩形状に形成されている。トレーリングシールド６８の先端面は、スライダ４２のディスク対向面４３に露出している。トレーリングシールド６８は、主磁極６６直下の軟磁性層２３を介して効率的に磁路を閉じるために設けられている。先端部６８ａのリーディング側端面は、磁気ディスク１２のトラックの幅方向に沿って延びている。このリーディング側端面は、主磁極６６のトレーリング側端面とライトギャップＷＧを置いてほぼ平行に対向している。なお、主磁極６６のトラック幅方向の両側へサイドシールドを設置してもよい。このサイドシールドを設置することにより、隣接トラックへのフリンジ磁界の減少が可能となり、トラック幅方向の記録密度を向上することが出来る。
【００３１】
トレーリングシールド６８は、ディスク対向面４３から離れた位置で、例えばＳｉＯ2等の非導電体６７を介して主磁極６６に連結されている。この非導電体６７により、主磁極６６とトレーリングシールド６８とが電気的に絶縁されている。
【００３２】
記録コイル７１は、記録電流制御回路７０に接続されている。記録電流制御回路７０は、制御回路基板２５および基板ユニット１７から送られる記録信号に応じて記録電流Ｉｗを記録コイル７１に通電する。これにより、記録コイル７１は主磁極６６を励磁し、主磁極６６から記録磁界を発生させる。
【００３３】
図３に示すように、スピントルク発振子７４は、主磁極６６の先端部６６ａとトレーリングシールド６８のリーディング側端面との間に設けられ、ライトギャップＷＧ内に位置している。また、スピントルク発振子７４の下端面は、スライダのディスク対向面４３に露出し、磁気ディスク１２の表面に対して、主磁極６６の先端面とほぼ同一の高さ位置に設けられている。すなわち、スピントルク発振子７４の下端面は、スライダ４２のディスク対向面４３と面一に、かつ、磁気ディスク１２の表面とほぼ平行に位置している。
【００３４】
スピントルク発振子７４は、非磁性導電層からなる下地層、スピン注入層（第１磁性体層）７４ａ、中間層７４ｂ、発振層（第２磁性体層）７４ｃ、非磁性導電層からなるキャップ層を、主磁極６６側からトレーリングシールド６８側に順に積層して構成されている。下地層は主磁極６６の先端部６６ａに接して形成され、また、キャップ層はトレーリングシールド６８のリーディング側端面に接して形成されている。
【００３５】
発振層７４ｃは、例えば、軟磁性かつ飽和磁束密度が２Ｔと大きなＦｅＣｏＮｉにより形成され、中間層７４ｂは、例えば、スピン拡散長が長いＣｕにより形成されている。スピン注入層７４ａは、例えば、保磁力が高くかつスピン偏極率が高いＣｏ／Ｎｉ人工格子により形成されている。また、スピン注入層７４ａは、記録時に発生するギャップ磁界よりも大きな保磁力を有する材料で形成してもよい。なお、主磁極６６側から順にスピン注入層７４ａ、中間層７４ｂ、発振層７４ｃを積層する構成としたが、これに限らず、主磁極６６側から発振層、中間層、スピン注入層の順で積層する構成としてもよい。
【００３６】
スピントルク発振子７４は、主磁極６６およびトレーリングシールドを介してスピントルク発振子（ＳＴＯ）駆動電流制御回路８０に接続されている。ＳＴＯ駆動電流制御回路８０は、電源８２に接続されている。そして、ＳＴＯ駆動電流制御回路８０は、制御回路基板２５の制御の下、電源８２から主磁極６６およびトレーリングシールド６８に電圧を印加することにより、主磁極６６、スピントルク発振子７４、トレーリングシールド６８を通して駆動電流Ｉｓｔｏを直列に通電する。すなわち、ＳＴＯ駆動電流制御回路８０は、スピントルク発振子７４の膜厚方向に、直流電流をスピントルク発振子７４に通電する。通電することにより、スピントルク発振子７４の発振層７４ｃの磁化が回転し、高周波磁界を発生させることが可能となる。これにより、スピントルク発振子７４は、磁気ディスク１２の記録層に高周波磁界を印加する。
【００３７】
ＳＴＯ駆動電流制御回路８０は、スピントルク発振子７４に一定電流を供給する定電流通電回路８４と、スピントルク発振子７４に前記一定電流と極性の異なる反転電流を通電し、スピントルク発振子７４のスピン注入層７４ｃの磁化方向を反転する反転電流通電回路８６と、を備えている。定電流通電回路８４は、記録電流制御回路７０から供給する記録電流Ｉｗに同期して一定電流をスピントルク発振子７４に通電し、また、反転電流通電回路８６は、記録電流Ｉｗの極性反転に同期してスピントルク発振子７４に反転電流を通電する。
【００３８】
図４は、ＳＴＯ駆動電流制御回路８０による駆動電流Ｉｓｔｏの通電方法を示している。この図に示すように、ＳＴＯ駆動電流制御回路８０は、記録ヘッド５６による信号記録時、定電流通電回路８４から一定電流で通電する時間と、反転電流通電回路８６から一定電流と逆極性の反転電流を短時間、パルス的に通電するタイミングとを制御するように構成されている。
【００３９】
以上のように構成されたＨＤＤおよび磁気記録ヘッドによれば、スピントルク発振子７４に反転電流を通電することにより、スピン注入層７４ａの磁化方向を記録ヘッドのギャップ磁界によらず、電流により変化させることができる。すなわち、スピン注入磁化反転効果を用いてスピン注入層の磁化反転を電流で行える。そのため、ギャップ磁界よりも大きな保磁力を有するスピン注入層材料であっても用いることが可能となる。そして、保磁力の大きなスピン注入層を用いることにより、スピン注入層の磁化が安定し、より安定で確実な高周波アシスト記録を行うことができる。また、反転電流によってスピン注入層の磁化を反転することにより、ギャップ磁界によらず、応答性が向上し、高速での記録が可能となる。
【００４０】
以上のことから、本実施形態によれば、より高速で安定した記録が可能な磁気記録ヘッドおよびこれを備えたディスク装置が得られる。
【００４１】
次に、他の実施形態に係るＨＤＤの磁気ヘッドについて説明する。なお、以下に説明する他の実施形態において、前述した第１の実施形態と同一の部分には、同一の参照符号を付してその詳細な説明を省略し、第１の実施形態と異なる部分を中心に詳しく説明する。
【００４２】
（第２の実施形態）  
図５は、第２の実施形態に係るＨＤＤにおける、記録電流ＩｗとＳＴＯ駆動電流Ｉｓｔｏの通電制御方法を示す図である。本実施形態によれば、ＳＴＯ駆動電流制御回路８０の定電流通電回路８４は、記録電流Ｉｗに同期して一定電流を通電するとともに、反転電流通電回路８６は、記録電流Ｉｗの極性が反転するタイミングに合わせて、定電流が通電されているスピントルク発振子７４に極性の異なる反転電流をパルス的に、すなわち短時間だけ通電するように構成されている。
【００４３】
図６は、図５の通電（１）ないし（５）に対応したスピントルク発振子７４の発振層７４ｃの磁化状態とスピン注入層７４ａの磁化状態とを示している。図５および図６に示すように、記録電流Ｉｗの極性の変化に合わせて、反転電流を通電することにより、発振層７４ｃの磁化状態とスピン注入層７４ａの磁化方向が変化する。
【００４４】
また、図７に示すように、本実施形態では、反転電流通電回路８６は、記録電流Ｉｗの極性が反転する際、記録電流Ｉｗの絶対値が減少し始めてからゼロになるまでの間に、すなわち、記録電流Ｉｗが立ち上げり初めてからゼロになるまでの間、あるいは、記録電流Ｉｗが立下り始めてからゼロになるまでの間に、反転電流をスピントルク発振子７４に通電するように構成されている。このように逆極性のパルス的な反転電流をスピントルク発振子７４に印加することで、まず、スピン注入層７４ａの磁化方向の反転が起こり、そして、発振層７４ｃの磁化が速やかに反転し、記録電流Ｉｗの立ち上がり、あるいは、立下りに合わせて回転し始める。
【００４５】
一方、図８は、比較例として、逆極性のパルス的な反転電流を印加せず、一定電流のみをスピントルク発振子に流し続けた場合の記録電流、ＳＴＯ駆動電流、スピントルク発振子の発振層の磁化状態、およびスピン注入層の磁化状態を示している。比較例に係る通電制御方法では、スピン注入層７４ａの磁化方向の反転は、記録電流の極性が反転した後に起こる。そのため、発振層７４ｃの磁化が反転して回転をし始めるのは、本実施形態の通電制御方法に比べて遅くなることが解る。
【００４６】
以上のように、第２の実施形態によれば、記録電流の極性反転に同期して反転電流をスピントルク発振子に通電することにより、発振層の磁化状態とスピン注入層の磁化状態を高速で反転することができ、磁化反転の応答性が向上する。従って、記録磁界の反転に遅れることなくスピン注入層の磁化反転を行うことができ、高速の記録が行える。また、スピン注入磁化反転効果を用いてスピン注入層の磁化反転を電流で行える。そのため、ギャップ磁界よりも大きな保磁力を有するスピン注入層材料であっても用いることが可能となる。そして、保磁力の大きなスピン注入層を用いることにより、スピン注入層の磁化が安定し、より安定で確実な高周波アシスト記録を行うことができる。  
以上のことから、本実施形態によれば、より高速で安定した記録が可能な磁気記録ヘッドおよびこれを備えたディスク装置を提供することができる。
【００４７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、高周波発振子は、主磁極のトレーリング側に限らず、主磁極のリーディング側に設けてもよい。
【符号の説明】
【００４８】
１０…筺体、１１…ベース、１２…磁気ディスク、１３…スピンドルモータ、
１４…ヘッドアクチュエータ、２５…制御回路基板、２７…アーム、
３０…サスペンション、４２…スライダ、４３…ディスク対向面、
４４…ヘッド部、５４…再生ヘッド、５６…磁気記録ヘッド、６６…主磁極、
６６ａ…先端部、６８…トレーリングシールド、６８ａ…先端部、
７０…記録電流制御回路、７４…スピントルク発振子、７４ａ…スピン注入層、
７４ｃ…発振層、８０…ＳＴＯ駆動電流制御回路、８４…定電流通電回路、
８６…反転電流通電回路、ＷＧ…ライトギャップ
【図１】
2014086122.tif 000003
【図２】
2014086122.tif 000004
【図３】
2014086122.tif 000005
【図４】
2014086122.tif 000006
【図５】
2014086122.tif 000007
【図６】
2014086122.tif 000008
【図７】
2014086122.tif 000009
【図８】
2014086122.tif 000010